(57)【特許請求の範囲】
【請求項１】
少なくとも顔料、分散剤及び水を有して構成され、かつ、分散剤として下記一般式（１）で示される化合物の少なくとも１種を用いることを特徴とする顔料分散液。
【化１】
0003936543.tif 000010
（Ｒ1はＨ又は炭素数１〜２０のアルキル基、フェニル基、置換フェニル基、ナフチル基、ｋは０〜７の整数、Ａ1はオキシエチレン単位又はオキシプロピレン単位又はオキシエチレン単位とオキシプロピレン単位との混合、Ａ2はオキシエチレン単位又はオキシプロピレン単位又はオキシエチレン単位とオキシプロピレン単位との混合、ｉ、ｊはそれぞれ０以上の整数で、ｉ＋ｊは３１以上１００以下の整数、Ｍ1はＨ、Ｌｉ、Ｎａ、Ｋ及びＮ+Ｒ2Ｒ3Ｒ4Ｒ5（Ｒ2、Ｒ3、Ｒ4、Ｒ5はそれぞれ水素元素、メチル基、エチル基、２−ヒドロキシエチル基、３−ヒドロキシプロピル基のうちのいずれか）よりなる群から選ばれた少なくとも一種、ｐ、ｑはそれぞれ１以上の整数でｐ＋ｑ＝３を表す）
【請求項２】
下記一般式（２）、（３）及び（４）よりなる群から選ばれた少なくとも一種の化合物を含有することを特徴とする請求項１記載の顔料分散液。
【化２】
0003936543.tif 000011
〔前式（２）中、Ｒ6は炭素数８〜１４のアルキル基、Ａ3はオキシエチレン単位又はオキシプロピレン単位又はオキシエチレン単位とオキシプロピレン単位との混合、ｍは３〜１６の整数を表す。
前式（３）中、Ｍ2はＨ、Ｌｉ、Ｎａ、Ｋ及びＮ+Ｒ8Ｒ9Ｒ10Ｒ11（Ｒ8、Ｒ9、Ｒ10、Ｒ11はそれぞれ水素元素、メチル基、エチル基、２−ヒドロキシエチル基、３−ヒドロキシプロピル基うちのいずれか）よりなる群から選ばれた少なくとも一種、Ｒ7は炭素数１〜２０のアルキル基を表す。
前式（４）中、Ｒ12は炭素数１〜２０のアルキル基、Ａ4はオキシエチレン単位又はオキシプロピレン単位又はオキシエチレン単位とオキシプロピレン単位との混合、ｘは１〜１２の整数、Ｍ3はＨ、Ｌｉ、Ｎａ、Ｋ及びＮ+Ｒ13Ｒ14Ｒ15Ｒ16（Ｒ13、Ｒ14、Ｒ15、Ｒ16はそれぞれ水素元素、メチル基、エチル基、２−ヒドロキシエチル基、３−ヒドロキシプロピル基のうちのいずれか）よりなる群から選ばれた少なくとも一種を表す。〕
【請求項３】
顔料としてピグメントイエロー１３８及び／又はピグメントレッド１２２を用いることを特徴とする請求項１又は２記載の顔料分散液。
【請求項４】
顔料としてピグメントブルー１５、ピグメントブルー１５：１、ピグメントブルー１５：２、ピグメントブルー１５：３及びピグメントブルー１５：４よりなる群から選ばれた少なくとも一種を用いることを特徴とする請求項１〜３のいずれかに記載の顔料分散液。
【請求項５】
顔料に対する分散剤の比率が１／１５以上１以下であることを特徴とする請求項１〜４のいずれかに記載の顔料分散液。
【請求項６】
顔料の平均粒径が２０ｎｍ以上２００ｎｍ以下であることを特徴とする請求項１〜５のいずれかに記載の顔料分散液。
【請求項７】
顔料濃度が５％以上３０％以下であることを特徴とする請求項１〜６のいずれかに記載の顔料分散液。
【請求項８】
請求項１〜７のいずれかに記載の顔料分散液に添加剤として水、水溶性有機溶剤、界面活性剤、防腐剤のうち少なくとも１種を加えて調製されたものであることを特徴とするインクジェット用インク。
【請求項９】
顔料の平均粒径が２０ｎｍ以上２００ｎｍ以下であることを特徴とする請求項８記載のインクジェット用インク。
【請求項１０】
顔料濃度が１％以上７％以下であることを特徴とする請求項８又は９記載のインクジェット用インク。
【請求項１１】
請求項８〜１０のいずれかに記載のインクを用いてピエゾ方式のインクジェットプリンタで印字することを特徴とする画像形成方法。
【請求項１２】
請求項８〜１０のいずれかに記載のインクを用いてサーマルインクジェット方式のインクジェットプリンタで印字することを特徴とする画像形成方法。
【発明の詳細な説明】
【０００１】
【発明の属する技術分野】
本発明は、印刷物の耐光性、色調の鮮明性、吐出安定性、液安定性の優れる顔料分散液、該顔料分散液を用いたインクジェット用インク及び画像形成方法に関するものである。
【０００２】
【従来の技術】
インクジェット記録方式は他の記録方式に比べてプロセスが簡単であるためフルカラー化が容易であり、簡略な構成の装置であっても高解像度の画像が得られる利点がある。インクジェット用インクとしては各種の水溶性染料を水、又は水と有機溶剤との混合液に溶解させた染料系インクが使用されているが、染料系インクは色調の鮮明性は優れているものの耐光性に劣る欠点があった。一方カーボンブラックや各種の有機顔料を分散させた顔料系インクは染料系インクと比較して耐光性に優れるため盛んに研究されている。しかし顔料系インクは染料系インクと比べてノズルの目詰まりが生じやすく、色域が狭い傾向がある。ノズルの目詰まりや色域を改善するには顔料の平均粒径を小さくし、かつ経時の平均粒径の安定性を向上させる必要があるが、現在多く用いられているスチレン−アクリル共重合体、スチレン−マレイン酸共重合体（特開昭５６−１４７８６３等）、ナフタレンスルホン酸ナトリウムホルマリン縮合物（特開昭６１−０８３２６７等）等の高分子分散剤を用いたインク、ポリエチレングリコールアルキルフェニルエーテル（特開平５−１０５８３７等）、ポリエチレングリコールアルキルフェニルエーテル硫酸塩（特開平１０−１６８３６７等）、ポリエチレングリコールアルキルフェニルエーテルリン酸塩（特開平１０−８８０５０等）等の界面活性剤を用いたインクのいずれにおいても顔料の平均粒径が大きく、平均粒径の安定性、吐出安定性に劣るものであった。
【０００３】
【発明が解決しようとする課題】
本発明は上記のような事情に鑑みなされたもので、顔料の平均粒径が小さく、かつ平均粒径の安定性、吐出安定性の優れた顔料分散液及びインクジェット用インクを提供することを目的としている。
【０００４】
【課題を解決するための手段】
本発明者らは鋭意検討した結果、分散剤として下記一般式（１）で表される化合物を用いること、更に好ましくは前記特定の分散剤と下記一般式（２）、（３）及び（４）よりなる群から選ばれた少なくとも一種の化合物を含有する特定の添加剤を併用することにより上記課題が解決されることを見出し本発明に到達することができた。
【０００５】
【化３】
0003936543.tif 000002
（Ｒ1はＨ又は炭素数１〜２０のアルキル基、フェニル基、置換フェニル基、ナフチル基、ｋは０〜７の整数、Ａ1はオキシエチレン単位又はオキシプロピレン単位又はオキシエチレン単位とオキシプロピレン単位との混合、Ａ2はオキシエチレン単位又はオキシプロピレン単位又はオキシエチレン単位とオキシプロピレン単位との混合、ｉ、ｊはそれぞれ０以上の整数で、ｉ＋ｊは３１以上１００以下の整数、Ｍ1はＨ、Ｌｉ、Ｎａ、Ｋ、Ｎ+Ｒ2Ｒ3Ｒ4Ｒ5（Ｒ2、Ｒ3、Ｒ4、Ｒ5はそれぞれ水素元素、メチル基、エチル基、２−ヒドロキシエチル基、３−ヒドロキシプロピル基のうちのいずれか）よりなる群から選ばれた少なくとも一種、ｐ、ｑはそれぞれ１以上の整数でｐ＋ｑ＝３を表す）
前記一般式（１）で示される分散剤で、Ｒ1の炭素数が２０を超えると分散安定性が劣り、粘度も上昇する傾向がある。ｉ＋ｊは好ましくは３１以上１００以下、さらに好ましくは３１以上８０以下である。ｉ＋ｊが１００より大きいと分散液及びインクの粘度が高くなり、さらに平均粒径の安定性に劣る傾向がある。またｐ、ｑについてはｐ＝１、ｑ＝２又はｐ＝２、ｑ＝１のいずれも可能である。
【０００６】
【化４】
0003936543.tif 000003
〔前式（２）中、Ｒ6は炭素数８〜１４のアルキル基、Ａ3はオキシエチレン単位又はオキシプロピレン単位又はオキシエチレン単位とオキシプロピレン単位との混合、ｍは３〜１６の整数を表す。
前式（３）中、Ｍ2はＨ、Ｌｉ、Ｎａ、Ｋ及びＮ+Ｒ8Ｒ9Ｒ10Ｒ11（Ｒ8、Ｒ9、Ｒ10、Ｒ11はそれぞれ水素元素、メチル基、エチル基、２−ヒドロキシエチル基、３−ヒドロキシプロピル基うちのいずれか）よりなる群から選ばれた少なくとも一種、Ｒ7は炭素数１〜２０のアルキル基を表す。
前式（４）中、Ｒ12は炭素数１〜２０のアルキル基、Ａ4はオキシエチレン単位又はオキシプロピレン単位又はオキシエチレン単位とオキシプロピレン単位との混合、ｘは１〜１２の整数、Ｍ3はＨ、Ｌｉ、Ｎａ、Ｋ及びＮ+Ｒ13Ｒ14Ｒ15Ｒ16（Ｒ13、Ｒ14、Ｒ15、Ｒ16はそれぞれ水素元素、メチル基、エチル基、２−ヒドロキシエチル基、３−ヒドロキシプロピル基のうちのいずれか）よりなる群から選ばれた少なくとも一種を表す。〕
【０００７】
前記一般式（２）の化合物のＲ6は、炭素数８〜１４のアルキル基が好ましい。炭素数７以下又は１５以上では平均粒径の安定性に劣る傾向がある。また、ｍは３〜１６の整数が好ましい。ｍが２以下又は１７以上では粒径安定化の効果が小さい。
前記一般式（３）の化合物のＲ7は炭素数１〜２０のアルキル基が好ましい。Ｒ7が水素原子又は炭素数２１以上のアルキル基では平均粒径の安定性に劣る傾向がある。
前記一般式（４）の化合物のＲ12が水素原子又は炭素数２１以上のアルキル基では顔料分散液中の顔料微粒子の粒径安定化の効果が小さい。一方Ａ4としてはオキシエチレン単位、オキシプロピレン単位、オキシエチレン単位とオキシプロピレン単位の混合のいずれも好適に使用できる。ｘは１〜１２の整数が好ましい。ｘが０又は１３以上では平均粒径の安定性に劣る傾向がある。
【０００８】
本発明の具体的構成としては、以下の手段が挙げられる。
本発明の第１は、少なくとも顔料、分散剤及び水を有して構成され、かつ、分散剤として前記一般式（１）で示される化合物のうち、少なくとも１種を用いることを特徴とする顔料分散液にある。
【０００９】
本発明の第２は、添加剤として、前記一般式（２）、（３）及び（４）よりなる群から選ばれた少なくとも一種の化合物をさらに含有することを特徴とする前記第１の顔料分散液にある。
【００１０】
本発明の第３は、顔料としてピグメントイエロー１３８及び／又はピグメントレッド１２２を用いることを特徴とする前記第１〜２の顔料分散液にある。
【００１１】
本発明の第４は、顔料としてピグメントブルー１５、ピグメントブルー１５：１、ピグメントブルー１５：２、ピグメントブルー１５：３及びピグメントブルー１５：４よりなる群から選ばれた少なくとも一種を用いることを特徴とする前記第１〜３の顔料分散液にある。
【００１２】
本発明の第５は、顔料に対する分散剤の比率が１／１５以上１以下であることを特徴とする前記第１〜４の顔料分散液にある。
【００１３】
本発明の第６は、顔料の平均粒径が２０ｎｍ以上２００ｎｍ以下であることを特徴とする前記第１〜５の顔料分散液にある。
【００１４】
本発明の第７は、顔料濃度が５％以上３０％以下であることを特徴とする前記第１〜６の顔料分散液にある。
【００１５】
本発明の第８は、前記第１〜７のいずれかの顔料分散液に添加剤として水、水溶性有機溶剤、界面活性剤、防腐剤のうち少なくとも１種を加えて調製することを特徴とするインクジェット用インクにある。
【００１６】
本発明の第９は、顔料の平均粒径が２０ｎｍ以上２００ｎｍ以下であることを特徴とする前記第８のインクジェット用インクにある。
【００１７】
本発明の第１０は、顔料濃度が１％以上７％以下であることを特徴とする前記８又は９のインクジェット用インクにある。
【００１８】
本発明の第１１は、前記第８〜１０のいずれかのインクを用いてピエゾ方式のインクジェットプリンタで印字することを特徴とする画像形成方法にある。
【００１９】
本発明の第１２は、前記第８〜１０のいずれかのインクを用いてサーマルインクジェット方式のインクジェットプリンタで印字することを特徴とする画像形成方法にある。
【００２０】
【発明の実施の形態】
以下、本発明を更に詳しく説明する。
本発明の顔料分散液は、少なくとも顔料と分散剤からなり、分散剤として前記一般式（１）で示される化合物のうち、少なくとも１種を用いることを特徴とする顔料分散液である。この顔料分散液は特にインクジェット用途に好適に利用することができる。
また本発明のインクジェット用インクは、前述の顔料分散液に添加剤として前記一般式（２）、（３）及び（４）よりなる群から選ばれた少なくとも一種の化合物を加えて調製することを特徴とするインクジェット用インクである。
上記分散剤を用いると、顔料の平均粒径の小さく、かつ平均粒径の安定性の優れた分散液及び、平均粒径の安定性、吐出安定性の優れたインクジェット用インクを得ることができる。
【００２１】
本発明において、前記一般式（１）の化合物と前記一般式（２）の化合物の含有量比率は、重量比で９９．９９／０．０１〜６０／４０であることが好ましい。９９．９９／０．０１より大きい場合は一般式（２）の添加効果がほとんど無い為、顔料分散液中の顔料微粒子の粒径安定化効果の向上の程度が小さく、６０／４０より小さい場合もやはり粒径安定化効果の向上の程度は小さくなる。
【００２２】
本発明において、前記一般式（１）の化合物と一般式（３）の化合物の含有量比率も同上の理由から９９．９９／０．０１〜６０／４０であることが好ましい。また、一般式（１）の化合物と一般式（４）の化合物の含有量比率も同上の理由から９９．９９／０．０１〜６０／４０であることが好ましい。
【００２３】
本発明に用いる顔料としては、イエロー顔料としては、ピグメントイエロー１、ピグメントイエロー２、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー７５、ピグメントイエロー８３、ピグメントイエロー９３、ピグメントイエロー９５、ピグメントイエロー９７、ピグメントイエロー９８、ピグメントイエロー１１４、ピグメントイエロー１２０、ピグメントイエロー１２８、ピグメントイエロー１２９、ピグメントイエロー１３８、ピグメントイエロー１５０、ピグメントイエロー１５１、ピグメントイエロー１５４、ピグメントイエロー１５５、ピグメントイエロー１８０等が挙げられる。
【００２４】
マゼンタ顔料としては、ピグメントレッド５、ピグメントレッド７、ピグメントレッド１２、ピグメントレッド４８（Ｃａ）、ピグメントレッド４８（Ｍｎ）、ピグメントレッド５７（Ｃａ）、ピグメントレッド５７：１、ピグメントレッド１１２、ピグメントレッド１２２、ピグメントレッド１２３、ピグメントレッド１６８、ピグメントレッド１８４、ピグメントレッド２０２、ピグメントバイオレット１９等が挙げられる。
【００２５】
シアン顔料としては、ピグメントブルー１、ピグメントブルー２、ピグメントブルー３、ピグメントブルー１５、ピグメントブルー１５：３、ピグメントブルー１５：４、ピグメントブルー１６、ピグメントブルー２２、ピグメントブルー６０、バットブルー４、バットブルー６０等が挙げられる。
なお、イエロー顔料としてピグメントイエロー１３８、マゼンタ顔料としてピグメントレッド１２２、シアン顔料としてピグメントブルー１５を用いることにより、色調、耐光性が優れ、バランスの取れたインクを得ることができる。
【００２６】
顔料に対する分散剤の比率は１／１５以上１以下が好ましい。１／１５未満では分散液及びインクの保存安定性が劣り、その結果ノズルの目詰まりが発生しやすい傾向があり、１より大きいと分散液及びインクの粘度が高すぎてインクジェット方式での印字が困難になる傾向がある。
【００２７】
分散液及びインク中の顔料の平均粒径は２０ｎｍ以上２００ｎｍ以下が好ましい。顔料の平均粒径が２００ｎｍより大きいとノズルの目詰まりが生じやすくなるばかりでなく色調の鮮明性も劣り、２０ｎｍ未満では顔料の分散が困難でありコストがかかるばかりでなく保存性、耐光性に劣る傾向がある。なお、本発明における平均粒径は、日機装（株）のマイクロトラックＵＰＡで測定した値のことである。
【００２８】
分散液の顔料濃度は５％以上３０％以下が好ましい。５％未満では規定の顔料濃度のインクを調合する際により多くの分散液が必要なため生産性が劣り、３０％より多いと分散液の粘度が高すぎて分散が困難になる傾向がある。
【００２９】
分散液への添加剤としては、水の他に水溶性有機媒体としてメタノール、エタノール、１−プロパノール、２−プロパノール、１−ブタノール、２−ブタノール、イソブチルアルコール等のアルコール、エチレングリコール、ジエチレングリコール、トリエチレングリコール、プロピレングリコール、１，２−プロパンジオール、１，２−ブタンジオール、１，３−ブタンジオール、１，４−ブタンジオール、グリセリン等の多価アルコール、上記多価アルコールと上記アルコールを脱水縮合して得られるモノエーテル誘導体及びジエーテル誘導体、Ｎ−メチルピロリドン、２−ピロリドン等のピロリドン誘導体、アセトン、メチルエチルケトン等のケトン、モノエタノールアミン、ジエタノールアミン、トリエタノールアミン等のアルカノールアミン、防腐剤等が挙げられる。
【００３０】
インクの顔料濃度は１％以上７％以下が好ましい。１％未満では画像濃度が低いため印字の鮮明さに欠け、７％より多いとインクの粘度が高くなる傾向があるばかりでなくノズルの目詰まりが発生しやすくなる。
インクへの添加剤としては、上記分散液への添加剤で記した材料と同様の材料が挙げられる。なお水溶性有機溶剤の含有量としては、記録液全量に対して０％以上５０％以下が好ましい。
顔料分散液は、上記の顔料、分散剤、水や水溶性有機溶剤の混合物をサンドミル、ボールミル、ダイノーミル、ロールミル、ナノマイザー、ホモジナイザー等の公知の分散機で分散することによって得られる。またインクは、顔料分散液、水、水溶性有機溶剤、界面活性剤等を攪拌混合し、フィルター、遠心分離装置等で粗大粒子を濾過し、脱気することによって得られる。
【００３１】
上記のインクを印字する方法としては連続噴射型あるいはオンデマンド型が挙げられる。オンデマンド型としてはピエゾ方式、サーマルインクジェット方式、バブルジェット方式、静電方式等が挙げられる。
【００３２】
【実施例】
以下、実施例に基づき本発明をより詳細に説明するが、本発明は本実施例に限定されないものである。なお実施例中の部数は重量部を表すものである。
【００３３】
実施例１
処方１
0003936543.tif 000004
上記の混合物をプレミックス後１リットルのベッセルに入れ、直径０．３ｍｍのジルコニアビーズを９００ｇ加え、カンペ製バッチ式卓上サンドミルで４８時間分散し、顔料分散液（Ａ）を得た。
【００３４】
実施例２
実施例１において、下記処方２に変更した他は実施例１と同様にして顔料分散液（Ｂ）を得た。
処方２
0003936543.tif 000005
【００３５】
実施例３
実施例１において、下記処方３に変更した他は実施例１と同様にして顔料分散液（Ｃ）を得た。
処方３
0003936543.tif 000006
【００３６】
実施例４
実施例１において、下記処方４に変更した他は実施例１と同様にして顔料分散液（Ｄ）を得た。
処方４
ピグメントイエロー１３８（東洋インキ製造社製、
ＬＩＯＮＯＧＥＮ  ＹＥＬＬＯＷ  １０１０）            ３０部
一般式（１）の化合物（ｋ＝０、ｉ＝７０、ｊ＝０、
Ａ1＝オキシエチレン単位、Ｍ1＝Ｋ、ｐ＝１、ｑ＝２）    １５部
蒸留水                                                １５５部
【００３７】
実施例５
実施例１においてピグメントレッド１２２の部数を１５部、蒸留水の部数を１７０部に変更した他は実施例１と同様にして顔料分散液（Ｅ）を得た。
【００３８】
実施例６
実施例１においてピグメントレッド１２２の部数を５０部、一般式（１）の化合物の部数を１２部、蒸留水の部数を１３８部に変更した他は実施例１と同様にして顔料分散液（Ｆ）を得た。
【００３９】
比較例１
実施例１において下記処方５に変更する他は実施例１と同様にして顔料分散液（Ｇ）を得た。
処方５
0003936543.tif 000007
【００４０】
比較例２
実施例１において下記処方６に変更する他は実施例１と同様にして顔料分散液（Ｈ）を得た。
処方６
ピグメントレッド１２２
（クラリアント社製、トナーマゼンタＥ０２）            ３０部
ポリオキシエチレンアルキルエーテルリン酸エステル
（第一工業製薬社製、プライサーフＡ２１９Ｂ）          １５部
蒸留水                                                １５５部
【００４１】
比較例３
実施例１において下記処方７に変更する他は実施例１と同様にして顔料分散液（Ｉ）を得た。
処方７
ピグメントレッド１２２
（クラリアント社製、トナーマゼンタＥ０２）            ３０部
一般式（１）の化合物（ｋ＝０、ｉ＝２０、ｊ＝０、
Ａ1＝オキシエチレン単位、Ｍ1＝Ｎａ、ｐ＝１、ｑ＝２）  １５部
パイオニンＡ−５１−Ｂ（竹本油脂社製）                ０．２部
蒸留水                                                １５５部
【００４２】
比較例４
実施例１において下記処方８に変更する他は実施例１と同様にして顔料分散液（Ｊ）を得た。
処方８
ピグメントレッド１２２
（クラリアント社製、トナーマゼンタＥ０２）            ３０部
一般式（１）の化合物（ｋ＝０、ｉ＝１３０、ｊ＝０、
Ａ1＝オキシエチレン単位、Ｍ1＝ＮＨ4、ｐ＝１、ｑ＝２)  １５部
パイオニンＡ−５１−Ｂ（竹本油脂社製）                ０．２部
蒸留水                                                １５５部
【００４３】
上記の方法で得られた顔料分散液（Ａ）〜（Ｊ）を用いて下記インク処方１によりインクを調製し、３０分攪拌後孔径０．８μｍのメンブランフィルターでろ過、真空脱気してインク（ａ）〜（ｊ）を得た。ただしろ過不可能なサンプルについては未ろ過のまま評価した。
【００４４】
インク処方１
顔料分散液                                        ４０．００部
グリセリン                                          ７．５０部
ジエチレングリコール                              ２２．５０部
２−ピロリドン                                      ３．００部
ポリオキシエチレン（３）
アルキル（Ｃ１３）エーテル酢酸ナトリウム          ０．４５部
蒸留水                                            ７６．５５部
【００４５】
上記の分散液（Ａ）〜（Ｊ）及びインク（ａ）〜（ｊ）に含まれる顔料の平均粒径、及び７０℃で７日放置した後の平均粒径を測定した。さらに高温試験後のインクをＥＰＳＯＮ社製インクジェットプリンタＭＪ−９３０Ｃ（ピエゾ方式）及びＨＰ社のインクジェットプリンタＤｅｓｋＪｅｔ８８０Ｃ（サーマル方式）で印字し、吐出安定性を評価した。
【００４６】
【表１】
0003936543.tif 000008
【００４７】
【表２】
0003936543.tif 000009
吐出安定性
○：ヘッドの目詰まりなし
×：ヘッドの目詰まりあり
【００４８】
【発明の効果】
本発明によれば、含まれる顔料の平均粒径が小さく、吐出安定性や色調の優れる顔料分散液及びインクジェット用インクが得られる。